(57)【要約】      （修正有）【課題】  水中撮影時におけるモニター表示画像の色味を好適なものとすることのできる撮影装置を得る。【解決手段】  被写体像を示す画像信号に対して表示される前記被写体像のホワイトバランスの調整を予め設定された調整量で行うＷＢ調整部３７を備えると共に、前記ホワイトバランスの調整用のカラーチャート画像情報及び当該カラーチャートに含まれる色毎の前記調整量で、かつ水中において表示された際に最も白色に見える色に対応するものをＷＢ調整部３７に設定することにより前記ホワイトバランスを適正に調整することができる前記調整量を示す調整量情報をメモリ４８により予め記憶しておき、水中においてＬＣＤ３８により表示された前記カラーチャートから最も白色に見えるものとして指定された色を示す指定色情報を入力し、当該指定色情報により示される色に対応する調整量をメモリ４８から取得してＷＢ調整部３７に設定する。【選択図】        図２
2006197478.tif 000002
【特許請求の範囲】
【請求項１】
撮像によって被写体像を示す画像信号を生成する撮像手段と、
前記画像信号に基づいて前記被写体像を表示する表示手段と、
前記画像信号に対して前記表示手段により表示される前記被写体像のホワイトバランスの調整を予め設定された調整量で行う調整手段と、
前記ホワイトバランスの調整用のカラーチャートを示す画像情報及び当該カラーチャートに含まれる色毎の前記調整量で、かつ水中において前記表示手段により表示された際に最も白色に見える色に対応するものを前記調整手段に設定することにより前記ホワイトバランスを適正に調整することができる前記調整量を示す調整量情報が予め記憶された記憶手段と、
前記カラーチャートを前記表示手段により表示するチャート表示手段と、
水中において前記表示手段により表示された前記カラーチャートから最も白色に見えるものとして指定された色を示す指定色情報を入力する指定色入力手段と、
前記指定色情報により示される色に対応する調整量を前記記憶手段から取得して前記調整手段に設定する設定手段と、
を備えた撮影装置。
【請求項２】
水深及び照度の少なくとも一方を検出する検出手段と、
前記検出手段による検出結果に応じて前記調整手段に設定される前記調整量を調整する第２調整手段と、
を更に備えた請求項１記載の撮影装置。
【請求項３】
水中であるか否かを判定する判定手段と、
前記判定手段によって水中でないと判定された場合に前記表示手段による前記カラーチャートの表示を禁止する禁止手段と、
を更に備えた請求項１又は請求項２記載の撮影装置。
【発明の詳細な説明】
【技術分野】
【０００１】
本発明は、撮影装置に係り、特に、撮像手段によって撮像された被写体像をモニター表示する機能を有する撮影装置に関する。
【背景技術】
【０００２】
近年、デジタルカメラの普及には目を見張るものがあり、年間出荷台数も銀塩カメラを上回るほどになっている。また、近年のデジタルカメラは被写体像のモニター用として液晶ディスプレイ等の表示部が設けられているものが多く、更に、この種のデジタルカメラには、防水用の専用ハウジング内に装着することによって水中撮影が可能とされているものも多数存在する。
【０００３】
ところで、上記のような表示部が設けられ、かつ水中撮影が可能とされたデジタルカメラを用いて水中撮影を行う場合、水深が深くなるにつれて赤色成分が減衰してしまい、撮影された被写体像が青味がかったものとなってしまうことが知られている。
【０００４】
すなわち、人間が水中で目視した際の景色の色味においては環境に応じた色味の補正が或る程度行われるため若干色が残るが、デジタルカメラによって撮影時に行われる被写体像の色味の調整は地上におけるホワイトバランスを基本として行われているため、水中撮影を行う際には全体的に青味がかった画像となってしまうのである。
【０００５】
これを回避するため、従来、デジタルカメラによって水中撮影を行う場合に、赤色のフィルタをレンズに装着して青色成分を故意に減衰させたり、白色の被写体を撮影して、それにホワイトバランスを合わせたりしていた。しかしながら、これらの方法では、撮影位置における水深や太陽光強度等の環境条件が変化した場合に対応することができなかった。
【０００６】
この問題を解決するために適用できる技術として、従来、被写体からの光束が水中を進んでカメラに入射されるまでの赤色成分の減衰を補償するようにホワイトバランスの測定結果を調整する技術があった（例えば、特許文献１参照。）。
【特許文献１】特開平６−３５１０２５号公報
【発明の開示】
【発明が解決しようとする課題】
【０００７】
しかしながら、上記のホワイトバランスの測定結果を調整する技術では、撮影画像に対するホワイトバランスを調整することはできるものの、被写体像のモニター用として設けられている表示部によって当該被写体像を表示した場合に、当該被写体像が撮影画像の場合と同様に青味がかったものとなってしまう、という問題点があった。
【０００８】
すなわち、水中では、水深、太陽光強度、水の吸収スペクトラム等に応じて被写体のスペクトラム分布が地上の場合に比較して変化してしまうため、ホワイトバランスも変化してしまう。これと同様に、デジタルカメラの表示部によって被写体像をモニター表示する場合においても、撮影者と表示部との間の距離、表示部のスペクトラム及び光強度、撮影者と表示部との間に存在する水の吸収スペクトラム、撮影者の視覚特性等に応じて表示画面のホワイトバランスが変化する結果、モニター表示された被写体像が青味がかったものとなってしまうのである。
【０００９】
本発明は上記問題点を解決するためになされたものであり、水中撮影時におけるモニター表示画像の色味を好適なものとすることのできる撮影装置を提供することを目的とする。
【課題を解決するための手段】
【００１０】
上記目的を達成するために、請求項１記載の撮影装置は、撮像によって被写体像を示す画像信号を生成する撮像手段と、前記画像信号に基づいて前記被写体像を表示する表示手段と、前記画像信号に対して前記表示手段により表示される前記被写体像のホワイトバランスの調整を予め設定された調整量で行う調整手段と、前記ホワイトバランスの調整用のカラーチャートを示す画像情報及び当該カラーチャートに含まれる色毎の前記調整量で、かつ水中において前記表示手段により表示された際に最も白色に見える色に対応するものを前記調整手段に設定することにより前記ホワイトバランスを適正に調整することができる前記調整量を示す調整量情報が予め記憶された記憶手段と、前記カラーチャートを前記表示手段により表示するチャート表示手段と、水中において前記表示手段により表示された前記カラーチャートから最も白色に見えるものとして指定された色を示す指定色情報を入力する指定色入力手段と、前記指定色情報により示される色に対応する調整量を前記記憶手段から取得して前記調整手段に設定する設定手段と、を備えている。
【００１１】
請求項１に記載の撮影装置によれば、撮像手段による撮像によって被写体像を示す画像信号が生成され、当該画像信号に基づいて前記被写体像が表示手段によって表示される。なお、上記撮像手段には、ＣＣＤ（Charge Coupled Device、電荷結合素子）、ＣＭＯＳ（Complementary Metal Oxide Semiconductor）イメージ・センサ等の固体撮像素子が含まれる。また、上記表示手段には、液晶ディスプレイ、プラズマ・ディスプレイ、有機ＥＬディスプレイ、ＣＲＴディスプレイ等の各種ディスプレイ装置が含まれる。
【００１２】
また、本発明の撮影装置には、前記画像信号に対して前記表示手段により表示される前記被写体像のホワイトバランスの調整を予め設定された調整量で行う調整手段と、前記ホワイトバランスの調整用のカラーチャートを示す画像情報及び当該カラーチャートに含まれる色毎の前記調整量で、かつ水中において前記表示手段により表示された際に最も白色に見える色に対応するものを前記調整手段に設定することにより前記ホワイトバランスを適正に調整することができる前記調整量を示す調整量情報が予め記憶された記憶手段が設けられている。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の記憶素子、スマート・メディア（SmartMedia（登録商標））、フレキシブルディスク等の可搬型記録媒体やハードディスク等の固定記録媒体が含まれる。
【００１３】
ここで、本発明では、チャート表示手段により、前記カラーチャートが前記表示手段により表示され、指定色入力手段により、水中において前記表示手段によって表示された前記カラーチャートから最も白色に見えるものとして指定された色を示す指定色情報が入力され、設定手段により、前記指定色情報により示される色に対応する調整量が前記記憶手段から取得されて前記調整手段に設定される。
【００１４】
すなわち、本発明では、水中において表示手段にてカラーチャートを表示し、当該カラーチャートから最も白色に見えるものを撮影装置のユーザに指定させ、指定された色に基づいて表示手段による表示画像のホワイトバランスを調整するようにしており、これによって、水中撮影時におけるモニター表示画像の色味を的確に好適なものとすることができるようにしている。
【００１５】
このように、請求項１に記載の撮影装置によれば、被写体像を示す画像信号に対して表示手段により表示される前記被写体像のホワイトバランスの調整を予め設定された調整量で行う調整手段を備えると共に、前記ホワイトバランスの調整用のカラーチャートを示す画像情報及び当該カラーチャートに含まれる色毎の前記調整量で、かつ水中において前記表示手段により表示された際に最も白色に見える色に対応するものを前記調整手段に設定することにより前記ホワイトバランスを適正に調整することができる前記調整量を示す調整量情報を予め記憶しておき、水中において前記表示手段により表示された前記カラーチャートから最も白色に見えるものとして指定された色を示す指定色情報を入力し、当該指定色情報により示される色に対応する調整量を前記記憶手段から取得して前記調整手段に設定しているので、水中撮影時におけるモニター表示画像の色味を好適なものとすることができる。
【００１６】
なお、本発明は、請求項２に記載の発明のように、水深及び照度の少なくとも一方を検出する検出手段と、前記検出手段による検出結果に応じて前記調整手段に設定される前記調整量を調整する第２調整手段と、を更に備えるものとしてもよい。これによって、より的確にホワイトバランスを調整することができる。なお、上記検出手段には、水深を検出する水深センサや照度を検出する照度センサ等、検出対象とする物理量を検出することのできる各種センサが含まれる。
【００１７】
また、本発明は、請求項３に記載の発明のように、水中であるか否かを判定する判定手段と、前記判定手段によって水中でないと判定された場合に前記表示手段による前記カラーチャートの表示を禁止する禁止手段と、を更に備えるものとしてもよい。これによって、カラーチャートの不要な表示を防止することができる。
【発明の効果】
【００１８】
本発明に係る撮影装置によれば、被写体像を示す画像信号に対して表示手段により表示される前記被写体像のホワイトバランスの調整を予め設定された調整量で行う調整手段を備えると共に、前記ホワイトバランスの調整用のカラーチャートを示す画像情報及び当該カラーチャートに含まれる色毎の前記調整量で、かつ水中において前記表示手段により表示された際に最も白色に見える色に対応するものを前記調整手段に設定することにより前記ホワイトバランスを適正に調整することができる前記調整量を示す調整量情報を予め記憶しておき、水中において前記表示手段により表示された前記カラーチャートから最も白色に見えるものとして指定された色を示す指定色情報を入力し、当該指定色情報により示される色に対応する調整量を前記記憶手段から取得して前記調整手段に設定しているので、水中撮影時におけるモニター表示画像の色味を好適なものとすることができる、という効果が得られる。
【発明を実施するための最良の形態】
【００１９】
以下、図面を参照して、本発明の実施の形態について詳細に説明する。なお、ここでは、本発明をデジタル電子スチルカメラ（以下、単に「デジタルカメラ」という。）に適用した場合について説明する。
【００２０】
［第１の実施の形態］
まず、図１を参照して、本実施の形態に係るデジタルカメラ１０の外観上の構成を説明する。
【００２１】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、モード切替スイッチ５６Ｃと、が備えられている。
【００２２】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２３】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２４】
また、モード切替スイッチ５６Ｃは、撮影を行うモードである撮影モード及び被写体像を後述するＬＣＤ３８に再生するモードである再生モードの何れかのモードに設定する際に回転操作される。
【００２５】
一方、デジタルカメラ１０の背面には、前述のファインダ２０の接眼部と、撮影された被写体像やメニュー画面等を表示するための液晶ディスプレイ（以下、「ＬＣＤ」という。）３８と、十字カーソルボタン５６Ｄと、が備えられている。なお、十字カーソルボタン５６Ｄは、ＬＣＤ３８の表示領域における上・下・左・右の４方向の移動方向を示す４つの矢印ボタンを含んで構成されている。
【００２６】
更に、デジタルカメラ１０の背面には、ＬＣＤ３８にメニュー画面を表示させるときに押圧操作されるメニューボタンと、それまでの操作内容を確定するときに押圧操作される決定ボタンと、直前の操作内容をキャンセルするときに押圧操作されるキャンセルボタンと、ストロボ４４の発光状態を設定するときに押圧操作されるストロボボタンと、が備えられている。
【００２７】
次に、図２を参照して、本実施の形態に係るデジタルカメラ１０の電気系の要部構成を説明する。
【００２８】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００２９】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３０】
なお、デジタル信号処理部３０は、所定容量のラインバッファを内蔵し、入力されたデジタルデータを後述するメモリ４８の所定領域に直接記憶させる制御も行う。
【００３１】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３２】
一方、デジタルカメラ１０は、ＬＣＤ３８に表示させる画像を示す信号からＬＣＤ３８への表示用の信号を生成するＬＣＤインタフェース３６と、ＬＣＤインタフェース３６によって生成された信号に対してＬＣＤ３８による表示画像のホワイトバランスの調整を予め設定された調整量で行ってＬＣＤ３８に供給するホワイトバランス調整部（以下、「ＷＢ調整部」という。）３７と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。なお、ＷＢ調整部３７には、ＬＣＤインタフェース３６によって生成された画像信号（ここでは、Ｒ（赤）、Ｇ（緑）、Ｂ（青）の３色の画像信号）に対して各色別に予め設定されたゲイン（上記調整量に相当。）を乗算する乗算器（図示省略。）が含まれており、ＬＣＤインタフェース３６によって生成された画像信号は当該乗算器を経由することによってホワイトバランスの調整が行われる。
【００３３】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３４】
なお、本実施の形態のデジタルカメラ１０では、メモリ４８としてフラッシュ・メモリ（Flash Memory）が用いられ、メモリカード５２としてスマートメディア（Smart Media（登録商標））が用いられている。
【００３５】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、ＷＢ調整部３７に対するＬＣＤインタフェース３６を介したＲ、Ｇ、Ｂ各色毎のゲインの設定、メモリ４８及びメモリカード５２へのメモリインタフェース４６及び外部メモリインタフェース５０を介したアクセスを各々行うことができる。
【００３６】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３７】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００３８】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００３９】
更に、前述のレリーズボタン５６Ａ、電源スイッチ５６Ｂ、モード切替スイッチ５６Ｃ、十字カーソルボタン５６Ｄ、メニューボタン等の各種ボタン、スイッチ類（同図では、「操作部５６」と総称。）はＣＰＵ４０に接続されており、ＣＰＵ４０は、これらの操作部５６に対する操作状態を常時把握できる。
【００４０】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４１】
ところで、本実施の形態に係るデジタルカメラ１０には、水中撮影を行う際にＬＣＤ３８に表示される画像のホワイトバランスを調整する表示ホワイトバランス調整機能が備えられており、当該表示ホワイトバランス調整機能を実現するためにメモリ４８の所定領域には、ホワイトバランス調整用のカラーチャートを示す画像情報（以下、「カラーチャート画像情報」という。）及び当該カラーチャートに含まれる色毎のゲインで、かつ水中においてＬＣＤ３８により表示された際に最も白色に見える色に対応するものをＷＢ調整部３７の乗算器にて適用することにより上記ホワイトバランスを適正化することができるものとして予め得られたゲインを示す情報（以下、「ゲイン情報」という。）が予め記憶されている。
【００４２】
図３には、カラーチャート画像情報によってＬＣＤ３８に表示されるカラーチャートの表示状態の一例が示されている。同図に示すように、本実施の形態に係るカラーチャートは、地上で参照した際に白色となる矩形色領域を中心として、同図左上角点に近づくほど緑味が強くなり、同図左下角点に近づくほど青味が強くなり、同図右端に近づくほど赤味が強くなるように各々所定の同一サイズとされた矩形色領域がマトリクス（同図に示す例では７×７のマトリクス）状に配置されて構成されている。
【００４３】
一方、図４には、ゲイン情報の一例が模式的に示されている。同図に示すように、本実施の形態に係るゲイン情報は、カラーチャートを構成する各矩形色領域の各々に対応して、水中においてＬＣＤ３８により表示された際に最も白色に見えた色に対応するものをＷＢ調整部３７の乗算器にて適用することにより、ＬＣＤ３８による水中での表示画像のホワイトバランスを適正に調整することができるものとして予め得られたＲ、Ｇ、Ｂ毎のゲインを示すものとされている。
【００４４】
すなわち、図４において中心に位置されるゲイン（太線で囲まれたゲイン）が図３に示されるカラーチャートの中心に位置される矩形色領域（地上において白色に見える矩形色領域）に対応するゲインであり、例えば、水中においてＬＣＤ３８により表示された際に最も白色に見えた矩形色領域が当該カラーチャートの中心に位置される矩形色領域の図３右側に隣接する矩形色領域であった場合には、図４の中心に位置されるゲインの右側に隣接するゲイン（同図では、Ｒが‘１．２’で、Ｇ及びＢが‘０．９’）をＷＢ調整部３７の乗算器で適用することによってＬＣＤ３８による水中での表示画像のホワイトバランスを適正化することができる。
【００４５】
なお、当該ゲインは、デジタルカメラ１０実機を用いた人による官能試験等の実験や、デジタルカメラ１０の設計仕様等に基づくコンピュータ・シミュレーション等によって予め得られたもの等を適用することができる。
【００４６】
本実施の形態に係るデジタルカメラ１０は、メニューボタンを押圧操作することによってＬＣＤ３８に表示されるメニュー画面上でホワイトバランス設定モード（以下、「ＷＢ設定モード」という。）に設定された場合に上記カラーチャートを用いたホワイトバランスのゲインの設定ができるものとされている。
【００４７】
次に、本実施の形態に係るデジタルカメラ１０の撮影時における全体的な動作について簡単に説明する。
【００４８】
まず、ＣＣＤ２４は、光学ユニット２２を介した撮像を行い、被写体像を示すＲ、Ｇ、Ｂ毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４９】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５０】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００５１】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５２】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６及びＷＢ調整部３７を介して順次ＬＣＤ３８に出力する。これによってＬＣＤ３８にスルー画像が表示されることになる。
【００５３】
ここで、レリーズボタン５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイルとして記録する。
【００５４】
次に、図５を参照して、表示ホワイトバランス調整機能を働かせる際のデジタルカメラ１０の作用を説明する。なお、図５は、当該表示ホワイトバランス調整機能を働かせるために所定時間毎（本実施の形態では１秒毎）にデジタルカメラ１０のＣＰＵ４０によって実行されるホワイトバランス調整処理プログラムの処理の流れを示すフローチャートであり、当該プログラムはメモリ４８の所定領域に予め記憶されている。
【００５５】
同図のステップ１００では、ＷＢ設定モードに設定されているか否かを判定し、否定判定となった場合は本ホワイトバランス調整処理プログラムを終了し、肯定判定となった場合はステップ１０２に移行する。
【００５６】
ステップ１０２では、メモリ４８からカラーチャート画像情報を読み出して上記カラーチャート（図３も参照。）をＬＣＤ３８に表示させ、次のステップ１０４にて、デジタルカメラ１０のユーザからの所定情報の入力待ちを行う。なお、上記ステップ１０２の処理を実行するに先立ってＣＰＵ４０は、ＷＢ調整部３７における乗算器の各色毎のゲインとして、水中でのＬＣＤ３８によるカラーチャート表示用として予め定められたゲイン値を設定する。
【００５７】
上記ステップ１０２の処理によってＬＣＤ３８にカラーチャートが表示されると、デジタルカメラ１０のユーザは当該カラーチャートの表示位置を十字カーソルボタン５６Ｄの操作によって全体的に移動させることにより、最も白色に見える矩形色領域をカラーチャートの表示領域の中心に位置させ、その後に決定ボタンを押圧操作する。これに応じてＣＰＵ４０に当該決定ボタンが押圧操作されたことを示す情報と、ユーザによって最も白色に見えるものとして指定された矩形色領域（ユーザによってカラーチャートの表示領域の中心に位置された矩形色領域）を示す情報とが入力される結果、上記ステップ１０４が肯定判定となってステップ１０６に移行する。
【００５８】
ステップ１０６では、上記ステップ１０４において入力された情報により示される矩形色領域（ユーザにより指定された矩形色領域）に対応するゲインをメモリ４８から読み出し、次のステップ１０８にて、読み出したゲインをＷＢ調整部３７の乗算器のゲインとするようにＷＢ調整部３７に設定した後、本ホワイトバランス調整処理プログラムを終了する。
【００５９】
なお、本ホワイトバランス調整処理プログラムのステップ１０２の処理が本発明のチャート表示手段に、ステップ１０４の処理が本発明の指定色入力手段に、ステップ１０６、１０８の処理が本発明の設定手段に、各々相当する。
【００６０】
以上詳細に説明したように、本実施の形態では、被写体像を示す画像信号に対して表示手段（ここでは、ＬＣＤ３８）により表示される前記被写体像のホワイトバランスの調整を予め設定された調整量で行う調整手段（ここでは、ＷＢ調整部３７）を備えると共に、前記ホワイトバランスの調整用のカラーチャートを示す画像情報（ここでは、カラーチャート画像情報）及び当該カラーチャートに含まれる色毎の前記調整量で、かつ水中において前記表示手段により表示された際に最も白色に見える色に対応するものを前記調整手段に設定することにより前記ホワイトバランスを適正に調整することができる前記調整量を示す調整量情報（ここでは、ゲイン情報）を予め記憶しておき、水中において前記表示手段により表示された前記カラーチャートから最も白色に見えるものとして指定された色を示す指定色情報を入力し、当該指定色情報により示される色に対応する調整量を前記記憶手段から取得して前記調整手段に設定しているので、水中撮影時におけるモニター表示画像の色味を好適なものとすることができる。
【００６１】
［第２の実施の形態］
本第２の実施の形態では、表示ホワイトバランス調整機能を、水深及び照度に基づいてＷＢ調整部３７に設定されるゲインを自動的に調整することもできるものとした場合の形態例について説明する。
【００６２】
まず、図６を参照して、本実施の形態に係るデジタルカメラ１０’の電気系の要部構成を説明する。なお、図６における図２と同一の構成要素については図２と同一の符号を付して、その説明を省略する。
【００６３】
図６に示すように、本第２実施形態に係るデジタルカメラ１０’は、各々ＣＰＵ４０に接続された水中検出センサ６２、水深センサ６４、及び照度センサ６６が新たに設けられている点のみが、上記第１実施形態に係るデジタルカメラ１０と異なっている。なお、水中検出センサ６２、水深センサ６４、及び照度センサ６６としては従来既知のものを適用することができる。
【００６４】
ところで、前述したように、本第２の実施の形態に係るデジタルカメラ１０’に搭載されている表示ホワイトバランス調整機能には、水深及び照度に基づいてＷＢ調整部３７に設定されるゲインを自動的に調整する機能も備えられており、このため、デジタルカメラ１０’のメモリ４８には、一例として図４に示されるゲイン情報に加えて、ＷＢ調整部３７に設定されるゲインに対する、水深及び照度の変化量に対応する調整係数を示す情報（以下、「調整係数情報」という。）も予め記憶されている。
【００６５】
図７には、調整係数情報の一例が模式的に示されている。同図に示すように、本実施の形態に係る調整係数情報は、ユーザによるテストチャートを用いたＷＢ調整部３７へのゲインの設定時における水深及び照度を基準値として、当該基準値からの水深及び照度の少なくとも一方の変化量に応じた調整係数を示すものとされており、テストチャートを用いてＷＢ調整部３７に設定されたゲインに対して対応する色毎に乗算することにより、ＬＣＤ３８による水中での表示画像のホワイトバランスを適切なものとすることができるものとして予め得られたＲ、Ｇ、Ｂ毎の係数値を示すものとされている。
【００６６】
すなわち、図７に示される調整係数情報では、太線で囲まれた、Ｒ、Ｇ、Ｂ共に‘１．０’とされた調整係数を上記基準値に対応する調整係数として、例えば、当該基準値からの水深の変化量が殆どなく、照度の変化量が予め定められた１単位量以上２単位量未満である場合には、太線で囲まれた調整係数の図７上方に隣接する調整係数（同図では、Ｒが‘１．０５’で、Ｇが‘１．０’で、Ｂが‘０．９５’）をＷＢ調整部３７に設定されたゲインに対してＲ、Ｇ、Ｂの各色毎に乗算することによってＬＣＤ３８による水中での表示画像のホワイトバランスを適正化することができる。
【００６７】
なお、当該調整係数は、デジタルカメラ１０実機を用いた人による官能試験等の実験や、デジタルカメラ１０の設計仕様等に基づくコンピュータ・シミュレーション等によって予め得られたもの等を適用することができる。
【００６８】
以下、図８を参照して、表示ホワイトバランス調整機能を働かせる際のデジタルカメラ１０’の作用を説明する。なお、図８は、当該表示ホワイトバランス調整機能を働かせるために所定時間毎（本実施の形態では１秒毎）にデジタルカメラ１０’のＣＰＵ４０によって実行されるホワイトバランス調整処理プログラムの処理の流れを示すフローチャートであり、当該プログラムはメモリ４８の所定領域に予め記憶されている。
【００６９】
まず、ステップ２００では、水中検出センサ６２による検知結果に基づいてデジタルカメラ１０’が水中に存在するか否かを判定し、否定判定となった場合は本ホワイトバランス調整処理プログラムを終了し、肯定判定となった場合はステップ２０２に移行する。
【００７０】
ステップ２０２では、ＷＢ設定モードに設定されているか否かを判定し、否定判定となった場合は後述するステップ２１４に移行し、肯定判定となった場合にはステップ２０４に移行する。
【００７１】
ステップ２０４では、メモリ４８からカラーチャート画像情報を読み出してカラーチャート（図３も参照。）をＬＣＤ３８に表示させ、次のステップ２０６にて、デジタルカメラ１０のユーザからの所定情報の入力待ちを行う。なお、上記ステップ２０４の処理を実行するに先立ってＣＰＵ４０は、ＷＢ調整部３７における乗算器の各色毎のゲインとして、水中でのＬＣＤ３８によるカラーチャート表示用として予め定められたゲイン値を設定する。
【００７２】
上記ステップ２０４の処理によってＬＣＤ３８にカラーチャートが表示されると、デジタルカメラ１０のユーザは当該カラーチャートの表示位置を十字カーソルボタン５６Ｄの操作によって全体的に移動させることにより、最も白色に見える矩形色領域をカラーチャートの表示領域の中心に位置させ、その後に決定ボタンを押圧操作する。これに応じてＣＰＵ４０に当該決定ボタンが押圧操作されたことを示す情報と、ユーザによって最も白色に見えるものとして指定された矩形色領域（ユーザによってカラーチャートの表示領域の中心に位置された矩形色領域）を示す情報とが入力される結果、上記ステップ２０６が肯定判定となってステップ２０８に移行する。
【００７３】
ステップ２０８では、上記ステップ２０６において入力された情報により示される矩形色領域（ユーザにより指定された矩形色領域）に対応するゲインをメモリ４８から読み出し、次のステップ２１０にて、読み出したゲインをＷＢ調整部３７の乗算器のゲインとするようにＷＢ調整部３７に設定した後、次のステップ２１２にて、この時点の水深及び照度を水深センサ６４及び照度センサ６６により検知してメモリ４８の所定領域に基準値として記憶した後にステップ２１４に移行する。
【００７４】
ステップ２１４では、メモリ４８の所定領域に上記基準値（すなわち、テストチャートを用いてＷＢ調整部３７にゲインが設定された際の水深及び照度）が既に記憶されているか否かを判定し、否定判定となった場合は本ホワイトバランス調整処理プログラムを終了し、肯定判定となった場合にはステップ２１６に移行する。
【００７５】
ステップ２１６では、この時点の水深及び照度を水深センサ６４及び照度センサ６６により検知し、当該水深及び照度の少なくとも一方がメモリ４８の所定領域に記憶されている基準値に対して予め定められた１単位量以上変化しているか否かを判定して、否定判定となった場合は本ホワイトバランス調整処理プログラムを終了し、肯定判定となった場合にはステップ２１８に移行する。
【００７６】
ステップ２１８では、上記基準値に対する水深及び照度の少なくとも一方の変化量に対応する調整係数をメモリ４８から読み出し、次のステップ２２０にて、読み出した調整係数をＷＢ調整部３７に設定されたゲインに対して対応する色毎に乗算することにより当該ゲインを調整した後、本ホワイトバランス調整処理プログラムを終了する。
【００７７】
なお、本ホワイトバランス調整処理プログラムのステップ２００の処理が本発明の判定手段及び禁止手段に、ステップ２０４の処理が本発明のチャート表示手段に、ステップ２０６の処理が本発明の指定色入力手段に、ステップ２０８、２１０の処理が本発明の設定手段に、ステップ２１８、２２０の処理が本発明の第２調整手段に、各々相当する。
【００７８】
以上詳細に説明したように、本実施の形態では、上記第１の実施の形態における効果に加え、水深及び照度の検出結果に応じて調整手段（ここでは、ＷＢ調整部３７）に設定される調整量（ここでは、ゲイン）を調整しているので、より的確にホワイトバランスを調整することができる。
【００７９】
また、本実施の形態では、水中であるか否かを判定し、水中でないと判定された場合に表示手段（ここでは、ＬＣＤ３８）によるカラーチャートの表示を禁止しているので、カラーチャートの不要な表示を防止することができる。
【００８０】
なお、本第２の実施の形態では、調整係数情報をテーブル形式で予め記憶しておく場合について説明したが、本発明はこれに限定されるものではなく、例えば、水深及び照度の少なくとも一方の変化量を入力値とし、これに応じた調整係数を出力値とする関数を予め記憶しておき、当該関数を用いてＷＢ調整部３７に設定されたゲインを調整する形態とすることもできる。この場合、調整係数情報を記憶するために要する記憶容量を大幅に低減することができる。
【００８１】
その他、上記各実施の形態に係るデジタルカメラの構成（図１、図２、図６参照。）は一例であり、本発明の主旨を逸脱しない範囲内において適宜変更可能であることは言うまでもない。
【００８２】
また、上記各実施の形態において説明したホワイトバランス調整処理プログラムの処理の流れ（図５、図８参照。）も一例であり、本発明の主旨を逸脱しない範囲内において適宜変更可能であることは言うまでもない。
【００８３】
また、上記各実施の形態において適用したテストチャートの構成（図３参照。）も一例であり、本発明の主旨を逸脱しない範囲内において適宜変更可能であることは言うまでもない。
【００８４】
また、上記各実施の形態において適用したゲイン情報及び調整係数情報の構成や値（図４、図７参照。）も一例であり、本発明の主旨を逸脱しない範囲内において適宜変更可能であることは言うまでもない。例えば、上記調整係数情報として必ずしも水深及び照度の両方に対応する調整係数を保持しておく必要はなく、水深及び照度の何れか一方のみに対応する調整係数を保持するようにしてもよい。
【００８５】
更に、本実施の形態では、本発明をデジタル電子スチルカメラに適用した場合について説明したが、本発明は、デジタルビデオカメラ、ＰＤＡ（Personal Digital Assistant，携帯情報端末）、携帯電話機、パーソナル・コンピュータ等、撮影機能を有すると共に、当該撮影機能による撮影画像を表示する表示部を有し、かつ当該撮影画像を当該表示部にて水中で表示することのできる情報処理装置であれば如何なるものにでも適用できることは言うまでもない。
【図面の簡単な説明】
【００８６】
【図１】実施の形態に係るデジタルカメラの外観を示す外観図である。
【図２】第１の実施の形態に係るデジタルカメラの電気系の要部構成を示すブロック図である。
【図３】実施の形態に係るテストチャートの表示状態例を示す概略図である。
【図４】実施の形態に係るゲイン情報の一例を示す模式図である。
【図５】第１の実施の形態に係るホワイトバランス調整処理プログラムの処理の流れを示すフローチャートである。
【図６】第２の実施の形態に係るデジタルカメラの電気系の要部構成を示すブロック図である。
【図７】第２の実施の形態に係る調整係数情報の一例を示す模式図である。
【図８】第２の実施の形態に係るホワイトバランス調整処理プログラムの処理の流れを示すフローチャートである。
【符号の説明】
【００８７】
１０    デジタルカメラ
２４    ＣＣＤ（撮像手段）
３７    ＷＢ調整部（調整手段）
３８    ＬＣＤ（表示手段）
４０    ＣＰＵ（チャート表示手段、指定色入力手段、設定手段、第２調整手段、判定手段、禁止手段）
４８    メモリ（記憶手段）
６２    水中検出センサ
６４    水深センサ（検出手段）
６６    照度センサ（検出手段）
【図１】
2006197478.tif 000003
【図２】
2006197478.tif 000004
【図３】
2006197478.tif 000005
【図４】
2006197478.tif 000006
【図５】
2006197478.tif 000007
【図６】
2006197478.tif 000008
【図７】
2006197478.tif 000009
【図８】
2006197478.tif 000010